(57)【特許請求の範囲】
【請求項１】
直管形ランプを光源とする照明器具であって、
板部材で構成され、平面視の形状の長手方向の寸法が、前記直管形ランプの長さよりも長く、かつ被取付部の被取付面に取り付けられる器具本体と、
前記直管形ランプの一方の端部を支持し、前記器具本体が前記被取付部に取り付けられた状態では、上側に位置する第１のソケットと、前記直管形ランプの他方の端部を支持し、前記器具本体が前記被取付部に取り付けられた状態では、下側に位置する第２のソケットと、
端部が前記器具本体の前面に固定され、前記器具本体の前面から前方に突出する板状の本体部を有し、前記本体部の、前記器具本体の前面から前方に所定距離だけ離れた位置において前記第１のソケットおよび前記第２のソケットを支持する、第１のソケット台および第２のソケット台と、
前記器具本体の前面の、前記器具本体の長手方向に直交する幅方向における中央部に取り付けられる電子部品と、
前記器具本体の前面の、前記器具本体が前記被取付部に取り付けられた状態では前記第１のソケットの位置よりも上方となる位置に固定され、前記器具本体の前面から前方に、ひさし状に突出する水切板と、
前記第２のソケットに一端が接続される配線と、
前記第１のソケット、前記第２のソケット、前記第１のソケット台、前記第２のソケット台、前記水切板および前記配線を覆うように、前記器具本体の前面に取り付けられるカバーと、
を備え、
前記器具本体の前面における前記中央部の周囲に、前記カバーの内側に浸入する雨水を誘導する溝部が設けられ、
前記第２のソケット台の前記本体部における、前記器具本体の前面と前記第２のソケットとの間を、前記配線を巻き付ける巻付領域とし、前記配線は、前記第２のソケット台の、板状である前記本体部の前記巻付領域において巻き付けられ、
巻き付けられた前記配線は、前記器具本体が前記被取付部に取り付けられた状態では、前記第２のソケット台の前記本体部よりも下方に位置する、谷状部分としての第１部分と、前記第２のソケット台の前記本体部よりも上方に位置する、山状部分としての第２部分と、を有して前記第２のソケットに向けて進行して、前記一端が前記第２のソケットに接続され、前記第１部分の下端部は、雨水を滴下する部分となる照明器具。
【発明の詳細な説明】
【技術分野】
【０００１】
本発明は、雨水等がかかる屋外に設置される照明器具に関する。
【背景技術】
【０００２】
従来より、光源を覆う枠体の下方を覆って傾斜面を有する底板の壁面側に水抜き部を設けた照明器具が知られている（例えば、特許文献１参照）。
特許文献１に記載の照明器具は、底板に沿って流れてきた水を、水抜き部から枠体の外部に排水できる。
【先行技術文献】
【特許文献】
【０００３】
【特許文献１】特開２００９−１２９７５７号公報（図２、請求項１）
【発明の概要】
【発明が解決しようとする課題】
【０００４】
前述した特許文献１に記載された照明器具は、遮水板やパッキン等の防水部材を必要とせずに防水することにより、部品点数を減少させてコストダウンを図ることができる。
ところで、前述した特許文献１に記載された照明器具と同様に、器具本体に取り付けられる雨水に弱い電子部品の取付面を絞ることにより電子部品の取付面と器具本体の他の面との間に段部を設けて、電子部品の取付面を器具本体の他の面よりも高くして雨水がかからないようにした照明器具が提案されている。
しかし、図５に示すように、このような従来の照明器具１００は、器具本体１０１の不図示の取付面上の不図示の電子部品に対しては雨水がかからなくできるものの、不図示の安定器やグローソケットからソケット１０２まで配策される配線１０３が、ソケット１０２の側方からソケット１０２に対して斜めに直接引き込まれている。
従って、このような従来の照明器具１００は、内部に浸入した雨水が配線１０３をつたってソケット１０２内に入り込んで電気的な障害を生ずる。
【０００５】
本発明は、前述した課題を解決するためになされたものであり、その目的は、内部に浸入した雨水が電子部品およびソケットにかからないようにして品質を向上できる照明器具を提供することにある。
【課題を解決するための手段】
【０００６】
本発明に係る照明器具は、直管形ランプを光源とする照明器具であって、板部材で構成され、平面視の形状の長手方向の寸法が、前記直管形ランプの長さよりも長く、かつ被取付部の被取付面に取り付けられる器具本体と、前記直管形ランプの一方の端部を支持し、前記器具本体が前記被取付部に取り付けられた状態では、上側に位置する第１のソケットと、前記直管形ランプの他方の端部を支持し、前記器具本体が前記被取付部に取り付けられた状態では、下側に位置する第２のソケットと、端部が前記器具本体の前面に固定され、前記器具本体の前面から前方に突出する板状の本体部を有し、前記本体部の、前記器具本体の前面から前方に所定距離だけ離れた位置において前記第１のソケットおよび前記第２のソケットを支持する、第１のソケット台および第２のソケット台と、前記器具本体の前面の、前記器具本体の長手方向に直交する幅方向における中央部に取り付けられる電子部品と、前記器具本体の前面の、前記器具本体が前記被取付部に取り付けられた状態では前記第１のソケットの位置よりも上方となる位置に固定され、前記器具本体の前面から前方に、ひさし状に突出する水切板と、前記第２のソケットに一端が接続される配線と、前記第１のソケット、前記第２のソケット、前記第１のソケット台、前記第２のソケット台、前記水切板および前記配線を覆うように、前記器具本体の前面に取り付けられるカバーと、を備え、前記器具本体の前面における前記中央部の周囲に、前記カバーの内側に浸入する雨水を誘導する溝部が設けられ、前記第２のソケット台の前記本体部における、前記器具本体の前面と前記第２のソケットとの間を、前記配線を巻き付ける巻付領域とし、前記配線は、前記第２のソケット台の、板状である前記本体部の前記巻付領域において巻き付けられ、巻き付けられた前記配線は、前記器具本体が前記被取付部に取り付けられた状態では、前記第２のソケット台の前記本体部よりも下方に位置する、谷状部分としての第１部分と、前記第２のソケット台の前記本体部よりも上方に位置する、山状部分としての第２部分と、を有して前記第２のソケットに向けて進行して、前記一端が前記第２のソケットに接続され、前記第１部分の下端部は、雨水を滴下する部分となる。
【発明の効果】
【０００８】
本発明に係る照明器具によれば、内部に浸入した雨水が電子部品およびソケットにかからないようにして品質を向上できるという効果を奏する。
【図面の簡単な説明】
【０００９】
【図１】本発明に係る一実施形態の照明器具の壁面への取付状態の垂直断面図
【図２】本発明に係る一実施形態の照明器具のカバーを取り外した正面図
【図３】本発明に係る一実施形態の照明器具のソケット周りの垂直断面図
【図４】本発明に係る一実施形態の照明器具のソケット周りの正面図
【図５】従来の照明器具のソケット周りの正面図
【発明を実施するための形態】
【００１０】
以下、本発明に係る一実施形態の照明器具について図面を参照して説明する。
図１に示すように、本発明に係る一実施形態の照明器具１０は、器具本体１１と、器具本体１１の中央部に配置された電子部品取付部１２に取り付けられる電子部品である安定器１３およびグロー管１４が装着されたグローソケット１５と、器具本体１１の前面に取り付けられる直管形ランプ１６と、直管形ランプ１６の両端部に有する一対の口金１７に電気的および機械的に接続される一対のソケット１８と、ソケット１８を器具本体１１上に支持する一対のソケット台１９と、設置時に上方に配置されるソケット１８の上方の外側に取り付けられる水切板２０と、器具本体１１の前面においてソケット１８の外側に取り付けられた一対のカバーブラケット２１と、カバーブラケット２１にねじ込まれるつまみねじ２２により器具本体１１の前面において直管形ランプ１６の軸線上に取り付けられる乳白色等の樹脂製のカバー２３と、電子部品取付部１２の周囲に配置されてつまみねじ２２を介して浸入してきた雨水を所定方向へ誘導するための溝部２４とを備え、壁面１の上下に長さを有する縦方向取付により壁面１に設置される。
【００１１】
図２に示すように、器具本体１１は、厚みの薄い金属製板部材を用いて長方形に形成されており、電子部品取付部１２に、図２中の上方から下方に向けて、一方のカバーブラケット２１と、水切板２０と、一方のソケット１８を取り付けた一方のソケット台１９と、一方の壁面取付用ねじ孔２５と、グロー管１４を装着したグローソケット１５と、安定器１３と、他方の壁面取付用ねじ孔２５と、他方のソケット１８を取り付けた他方のソケット台１９と、他方のカバーブラケット２１とが順次に配置されている。安定器１３とグローソケット１５と一方のソケット１８と他方のソケット１８には、外部の電源回路に接続される配線２６がそれぞれ接続されている。
【００１２】
一方のソケット１８の上方に配置される水切板２０は、一方のソケット１８の上部において、器具本体１１の短手方向の幅寸法Ｌ１よりも小さい幅寸法Ｌ２の板形状を有して器具本体１１から斜め上方に向けてひさし状に突出されて器具本体１１にねじ止めされている。水切板２０は、器具本体１１の短手方向における両側に一対の立壁２７を有する。一対の立壁２７は、器具本体１１の上方に向けて突出されている。
【００１３】
溝部２４は、器具本体１１における電子部品取付部１２の周囲に、壁面１に向けて所定の深さ寸法および幅寸法を有する。溝部２４は、その上端部において水切板２０に平行に配置される上部溝部２８と、上部溝部２８の両端部に接続された一対の側部溝部２９と、その下端部において一対の側部溝部２９の下端部に接続された下部溝部３０とから、器具本体１１の正面視形状に相似する四角形の無端状に形成されている。
【００１４】
溝部２４は、側部溝部２９同士の内側の長さ寸法Ｌ３が水切板２０の有する幅寸法Ｌ２よりもわずかに小さく、側部溝部２９同士の外側の長さ寸法Ｌ４が水切板２０の有する幅寸法Ｌ２よりもわずかに大きい。そのため、溝部２４は、水切板２０に対応した位置に配置されている。
【００１５】
図３に示すように、他方のソケット台１９は、器具本体１１に対して予め定められた距離Ｌ５だけ離れた位置に他方のソケット１８を取り付けるための板形状の本体３１を有し、本体３１の器具本体１１側に器具本体１１にねじ止めされる基部３２を有する。基部３２はカバーブラケット２１の基部を兼用する。本体３１は、器具本体１１の面に対してほぼ直角をなす。そして、他方のソケット台１９は、本体３１において器具本体１１と他方のソケット１８との間に配線２６の巻付領域３３が設定されており、巻付領域３３に他方のソケット１８に接続される配線２６の一部が巻き付けられている。
【００１６】
図４に示すように、配線２６は、他方のソケット台１９の巻付領域３３に巻き付けられているために、他方のソケット１８へ引き込まれる前段部に、他方のソケット１８よりも下方に垂れ下がった雨水滴下用垂下部３４を有する。
従って、万が一に、内部に浸入した雨水が他方のソケット１８へ引き込まれる配線２６をつたって他方のソケット１８へ向けて流れてきたとしても、配線２６が他方のソケット台１９に有する巻付領域３３に巻回されているために、雨水が他方のソケット１８よりも下方に垂れ下がった雨水滴下用垂下部３４から下方へ滴下することにより、雨水の他方のソケット１８への進行を防止できる。
【００１７】
図１に戻り、照明器具１０は、壁面１への取り付けにあたり、一方の壁面取付用ねじ孔２５と他方の壁面取付用ねじ孔２５とに挿通されたねじ３５が壁面１にねじ込まれることにより器具本体１１が壁面１の所定の位置に取り付けられる。次に、カバー２３を器具本体１１に被せ、カバー２３に有するねじ孔３６からカバーブラケット２１に有するねじ孔３７につまみねじ２２がねじ込まれることによりカバー２３が器具本体１１の前面に取り付けられる。
【００１８】
次に、照明器具１０の作用について説明する。
壁面１の上下に長さを有するように縦方向取付により屋外の壁面１に設置された照明器具１０に雨水がかかり、その雨水が、万が一に、つまみねじ２２を通じて内部に浸入した場合、雨水は器具本体１１の最上部側においてつまみねじ２２の真下の水切板２０上に滴下する。照明器具１０にかかった雨水のうち、カバー２３と器具本体１１の最上部との間から内部に浸入してきた雨水は、器具本体１１の最上部から溝部２４の上部溝部２８に流れる。
【００１９】
水切板２０上に滴下された雨水は、水切板２０が器具本体１１から斜め上方に向けてひさし状に突出されているために、水切板２０から溝部２４の側部溝部２９へと誘導されていき、電子部品取付部１２の外周部において溝部２４の側部溝部２９をつたって下部溝部３０に流れ、下部溝部３０から器具本体１１の下方の外部へ放出される。このとき、雨水は、水切板２０が両側に立壁２７を有するために、水切板２０上に滴下した後に水切板２０の両側から落下されずに集合されて溝部２４に積極的に誘導される。
【００２０】
一方、カバー２３と器具本体１１の最上部との間から内部に浸入してきた雨水は、器具本体１１の最上部から溝部２４の上部溝部２８に流れ、上部溝部２８から電子部品取付部１２の外周部において側部溝部２９をつたって下部溝部３０に流れ、下部溝部３０から器具本体１１の下方の外部へ放出される。
【００２１】
そして、万が一に、内部に浸入した雨水が他方のソケット１８へ引き込まれる配線２６をつたって他方のソケット１８へ向けて流れた場合、雨水は、他方のソケット１８よりも下方において垂れ下がった配線２６の雨水滴下用垂下部３４から下方へ滴下するために、雨水の他方のソケット１８への進行が防止されて他方のソケット１８への雨水の浸入を防止できる。
【００２２】
以上、説明したように一実施形態の照明器具１０によれば、一方のソケット１８の外側に設けられた水切板２０に滴下された雨水が、溝部２４により誘導されて器具本体１１の下方の外部へ放出されるとともに、カバー２３と器具本体１１の最上部との間から内部に浸入してきた雨水が、溝部２４により誘導されて器具本体１１の下方の外部へ放出され、さらに、万が一に、内部に浸入した雨水が、他方のソケット１８へ引き込まれる配線２６をつたって他方のソケット１８へ向けて流れた場合、他方のソケット台１９の上方から後方または他方の前面に向けて巻き込むように配策された配線２６から下方へ滴下して器具本体１１の下方の外部へ放出されることにより、内部に浸入した雨水が安定器１３およびグローソケット１５等の電子部品およびソケット１８にかからないようにして品質を向上できる。
【００２３】
また、一実施形態の照明器具１０によれば、万が一に、内部に浸入した雨水が他方のソケット１８へ引き込まれる配線２６をつたって他方のソケット１８へ向けて流れてきたとしても、配線２６が他方のソケット台１９に有する巻付領域３３に巻回されているために、雨水が他方のソケット１８よりも下方に垂れ下がった雨水滴下用垂下部３４から下方へ滴下することにより、雨水の他方のソケット１８への進行を防止して電気的な障害の発生を防止できる。
【００２４】
なお、本発明の照明器具において安定器，グローソケット，グロー管，直管形ランプ等は、前述した実施形態に限定されるものでなく、適宜な変形や改良等が可能である。
【符号の説明】
【００２５】
１０  照明器具
１１  器具本体
１３  安定器（電子部品）
１５  グローソケット（電子部品）
１６  直管形ランプ
１８  ソケット
１９  ソケット台
２０  水切板
２２  つまみねじ
２３  カバー
２４  溝部
２６  配線
【図１】
0005642505.tif 000002
【図２】
0005642505.tif 000003
【図３】
0005642505.tif 000004
【図４】
0005642505.tif 000005
【図５】
0005642505.tif 000006